(57)【要約】【課題】各種メーカーやサイズの異なる消火器に対して単一の構造で対応することができる消火器の壁掛け装置を提供する。【解決手段】壁面に固定する上下に長い取付け金具２が、消火器Ａの下縁を載置する下端の係止屈曲部３と、消火器Ａに設けられている係止金具ａを挿入する上端の差込片４と、消火器Ａの胴部を着脱可能に抱持するよう上部位置に固定した巻着バンド５とを備え、前記取付け金具２が、上下に長い下部取付け板６と上部取付け板７の重なり部分をビス１０で結合し、このビス１０によって上下長さの調節が可能になっている。【選択図】図１
0003155495.tif 000002
【実用新案登録請求の範囲】
【請求項１】
壁面に固定する上下に長い取付け金具に、この取付け金具の下端に位置し、消火器の下縁を載置する係止屈曲部と、前記取付け金具の上端に位置し、消火器に設けられている係止金具を挿入する差込片と、前記取付け金具の上部位置に固定され、消火器の胴部を着脱可能に抱持する巻着バンドとを設け、
前記取付け金具は、上下に長い上部取付け板と下部取付け板の組み合わせからなり、前記上部取付け板と下部取付け板の重なり部分を締結部材で結合し、この締結部材によって上下長さの調節が可能となるように形成されている消火器の壁掛け装置。
【請求項２】
上記取付け金具の下部取付け板が、
帯状板の上端部の両側位置に、上部取付け板の幅方向が嵌る間隔で前面側に突出し、上部取付け板を上下方向に移動可能に誘導する一対のガイド突起と、
帯状板の下端部に、前方に突出する水平の支持片と、この支持片の先端から上向きに屈曲する係合片からなり、消火器の下縁を載置する係止屈曲部と、
帯状板の途中に建物の壁面に対する取付け孔及び、上部の位置に締結部材のねじ込み孔とを設けて形成され、
上記取付け金具の上部取付け板が、
上端部に上方へ突出する差込片と、上部の位置に巻着バンドが固定された帯状板に下部から上方に延びる上下方向の長孔を設けて形成され、
前記下部取付け板のガイド突起間に上部取付け板を両者の上下方向を合わせた状態で嵌め込んで、下部取付け板と上部取付け板を重ね、この重なり部分を長孔からねじ込み孔に螺締めした締結部材によって結合し、この締結部材の締め緩めによって、前記取付け金具を、長孔の範囲で上下に長さの調節ができるようにした請求項１に記載の消火器の壁掛け装置。
【請求項３】
上記上部取付け板の前面で中間部の位置に、消火器の胴部を受ける弾性受け板が取付けてある請求項１又は２に記載の消火器の壁掛け装置。
【考案の詳細な説明】
【技術分野】
【０００１】
この考案は、建物の壁面に消火器を設置するために用いる消火器の壁掛け装置に関する。
【背景技術】
【０００２】
消火器の設置において、消火器を床面に直接設置すると、人や車両が通る場所ではこれが邪魔になり、消火器を転倒させるおそれがあり、また、床面に直接設置すると床を掃除するときの邪魔になり、このため、前記のような条件下においては、消火器を壁面に設置することが行われている。
【０００３】
従来、消火器を壁面に設置するために用いられている壁掛け装置は、壁面にビスのねじ込みで固定する支持板の下端に、消火器の下面を受ける水平の架台を前方に突出するよう固定し、前記支持板の上端に、消火器の上部外面に設けられている係止金具を挿入する差込片を突設した構造を有している（例えば、特許文献１参照）。
【０００４】
上記のような壁掛け装置は、支持板を壁面所要高さ位置にビスのねじ込みで固定し、消火器をこの壁掛け装置の前面上部に臨ませ、消火器の係止金具を差込片に挿入すると共に、消火器の下面を架台上に載置することにより、消火器を上部と下面の二箇所で支持することにより、壁面に設置するものである。
【先行技術文献】
【特許文献】
【０００５】
【特許文献１】実開平６−７７７５５号公報
【考案の概要】
【考案が解決しようとする課題】
【０００６】
ところで、消火器は、メーカーごとに各部の寸法が異なり、同じメーカーの製品でも各種のサイズがあるため、特に、消火器の底面と上部外面に固定した係止金具の上下寸法関係が変化しており、このため、上記したような従来の壁掛け装置のように、支持板の上下に設けた差込片と架台の上下寸法関係が固定化されたものでは、寸法的に適合した単一の消火器にしか使用することができないという問題があり、また、各種メーカーやサイズの異なる消火器の設置に対応するには、各消火器ごとの壁掛け装置を製作しなければならないという不便がある。
【０００７】
そこで、この考案の課題は、各種メーカーやサイズの異なる消火器に対して単一の構造で対応することができ、多種類を製作した場合の経済的な無駄をなくすことができる消火器の壁掛け装置を提供することにある。
【課題を解決するための手段】
【０００８】
上記の課題を解決するため、この考案は、壁面に固定する上下に長い取付け金具に、この取付け金具の下端に位置し、消火器の下縁を載置する係止屈曲部と、前記取付け金具の上端に位置し、消火器に設けられている係止金具を挿入する差込片と、前記取付け金具の上部位置に固定され、消火器の胴部を着脱可能に抱持する巻着バンドとを設け、前記取付け金具は、上下に長い上部取付け板と下部取付け板の組み合わせからなり、前記上部取付け板と下部取付け板の重なり部分を締結部材で結合し、この締結部材によって上下長さの調節が可能となるように形成されているようにしたものである。
【０００９】
上記取付け金具の下部取付け板が、帯状板の上端部の両側位置に、上部取付け板の幅方向が嵌る間隔で前面側に突出し、上部取付け板を上下方向に移動可能に誘導する一対のガイド突起と、帯状板の下端部に、前方に突出する水平の支持片と、この支持片の先端から上向きに屈曲する係合片からなり、消火器の下縁を載置する係止屈曲部と、帯状板の途中に建物の壁面に対する取付け孔及び、上部の位置に締結部材のねじ込み孔とを設けて形成され、上記取付け金具の上部取付け板が、上端部に上方へ突出する差込片と、上部の位置に巻着バンドが固定された帯状板に下部から上方に延びる上下方向の長孔を設けて形成され、前記下部取付け板のガイド突起間に上部取付け板を両者の上下方向を合わせた状態で嵌め込んで、下部取付け板と上部取付け板を重ね、この重なり部分を長孔からねじ込み孔に螺締めした締結部材によって結合し、この締結部材の締め緩めによって、前記取付け金具を、長孔の範囲で上下に長さの調節ができるようにした構造とすることができる。
【００１０】
また、上記上部取付け板の前面で中間部の位置に、消火器の胴部を受ける弾性受け板が取付けてあるようにすることができる。
【００１１】
ここで、上記下部取付け板は、上下に長い金属帯板を用い、上端にガイド突起と下端に係止屈曲部を折り曲げ連成し、上部にねじ込み孔とその下部の上下複数箇所に取付け孔が設けられている。
【００１２】
上記上部取付け板は、ガイド突起間に納まる幅の上下に長い金属帯板を用い、上部寄りの位置に、前面側へ突出する屈曲部を設け、この屈曲部の背面に巻着バンドの中間部を重ねて固定し、前記屈曲部の前面にゴムや合成樹脂製の弾性受け板が固定され、前記屈曲部と下端部との間に長孔が設けられている。
【００１３】
また、上部取付け板は、上端に設けた前方へ折れ曲がる屈曲片の先端に、差込片が上向きに起立するように連成され、この屈曲片と上記屈曲部の間に取付け孔が設けられている。
【００１４】
上記下部取付け板と上部取付け板は、下部取付け板の前面に上部取付け板の下部を重ね、上部取付け板の前面に押さえ板を重ね、この押さえ板に設けた透孔から長孔を介してねじ込み孔に螺合したビスを締め付けることにより、下部取付け板と押さえ板で上部取付け板を挟み込むことで、下部取付け板と上部取付け板を固定化し、ビスを緩めることで上部取付け板を上下にスライドさせ、消火器の下縁を載置する係止屈曲部と上端の差込片の間の上下間隔を、消火器の条件に合わせて調整できることになる。
【考案の効果】
【００１５】
この考案によると、壁面に固定する上下に長い取付け金具の長さを調整可能とし、消火器の下縁を載置する係止屈曲部と上端の差込片の間の上下間隔が消火器の条件に合わせて調整できるので、消火器の壁面設置において、各種メーカーやサイズの異なる消火器に対して単一の構造で対応することができ、消火器ごとに多種類の壁掛け装置を製作した場合の経済的な無駄をなくすことができる。
【００１６】
また、取付け金具に巻着バンドを設けたので、取付け金具に対して消火器を完全に固定化でき、更に、この巻着バンドと弾性受け板の組合わせにより、巻着バンドで消火器をガタツキのないよう強固に抱持でき、従って、人や物が接触しても消火器が落下するような危険の発生を防ぐことができる。
【図面の簡単な説明】
【００１７】
【図１】この考案に係る壁掛け装置と消火器を示す分解斜視図
【図２】この考案に係る壁掛け装置の斜視図
【図３】この考案に係る壁掛け装置を用いて壁面に設置した使用状態の縦断側面図
【図４】（ａ）は図３の矢印ａ−ａでの下面側から見た拡大断面図、（ｂ）は図３の矢印ｂ−ｂ部分の下面側から見た拡大断面図
【考案を実施するための形態】
【００１８】
以下、この考案の実施の形態を図示例に基づいて説明する。
【００１９】
図示のように、消火器Ａの壁掛け装置１は、壁面Ｂに固定する上下に長い取付け金具２に対して、下端の位置に、消火器Ａの下縁を載置する係止屈曲部３と、上端の位置に、消火器Ａに設けられている係止金具ａを挿入する差込片４と、上部位置に消火器Ａの胴部を着脱可能に抱持する巻着バンド５とが設けられている。
【００２０】
前記取付け金具２は、上下に長い下部取付け板６と上部取付け板７の組み合わせからなり、下部取付け板６は、上下に長い金属帯板を用い、上端部の両側位置に、上部取付け板７の幅方向が嵌る間隔で前面側に突出し、上部取付け板７を上下方向に移動可能に誘導する一対のガイド突起８と、金属帯板の下端部に前方に突出する係止屈曲部３と、金属帯板の途中の上下に壁面Ｂに対する取付け孔９及び、上部の位置に締結部材であるビス１０のねじ込み孔１１とを設けて形成され、前記係止屈曲部３は、前方に突出する水平の支持片３ａと、この支持片３ａの先端から上向きに屈曲する係合片３ｂからなっている。
【００２１】
上記上部取付け板７は、ガイド突起８間に納まる幅の上下に長い金属帯板を用い、上部寄りの位置に、前面側へ突出する屈曲部１２を設け、この屈曲部１２の背面に巻着バンド５の中間部を重ねてカシメや溶接によって固定し、前記屈曲部１２の前面にゴムや合成樹脂製の弾性受け板１３が固定され、前記屈曲部１２と下端部との間に、下部から上方に延びる上下方向の長孔１４が設けられ、更に、上端に設けた前方へ折れ曲がる屈曲片１５の先端に、前記差込片４が上向きに起立するように連成され、この屈曲片１５と上記屈曲部１２の間に壁面Ｂへの取付け孔９が設けられている。
【００２２】
上記下部取付け板６と上部取付け板７は、下部取付け板６の前面に上部取付け板７の下部を重ね、この重なり部分を、押さえ板１６とビス１０を用い、このビス１０をねじ込み孔１１にねじ込むことによって結合するようになっている。
【００２３】
具体的には、図４（ｂ）のように、下部取付け板６の前面に重ねた上部取付け板７の前面に、上部取付け板７の両側に嵌る折り曲げ片を設けた矩形状の押さえ板１６を重ね、この押さえ板１６の中央に設けた透孔１７から長孔１４を介してねじ込み孔１１にビス１０を螺合し、このビス１０を締め付けることにより、下部取付け板６と押さえ板１６で上部取付け板７を挟み込み、これにより、上下方向を一致させた下部取付け板６と上部取付け板７を固定化し、また、ビス１０を緩めることで上部取付け板７を上下にスライドさせ、消火器Ａの下縁を載置する係止屈曲部３と上端の差込片４の上下間隔を、消火器Ａの胴部下端縁から係止金具ａまでの距離条件に合わせて調整できるようになっている。
【００２４】
なお、上記巻着バンド５は、図２のように、一部を切り離した環状バンド１８の両端を、一端に枢止結合したレバー１９と他端に枢止した係止環２０とからなり、レバー１９の外面に設けた複数数の係止片２１に対して係止環２０を係脱させるようにしたバックル金具２２で結合するようになっており、環状バンド１８の可撓性とバックル金具２２の多段結合構造とにより、消火器Ａの胴部外径の変化に対応できると共に、弾性受け板１３との併用により、消火器Ａの胴部をガタツキのないよう抱持することができることになる。
【００２５】
上記弾性受け板１３は、上記巻着バンド５で消火器Ａの胴部を抱持する場合に、取付け金具２側で消火器Ａの胴部を弾力的に受けて安定化させるものであり、図４（ａ）のように、長方形の矩形状で厚みのある板に形成され、その前面の凹入面１３ａが円弧の溝状に形成され、円弧に沿う両側部分１３ｃが凹入面１３ａの底よりも前方に突出し、背面の中央に設けた有頭取付け軸１３ｂを上部取付け板７に設けた取付け孔２４に、弾性を利用して前面側から抜け止め状に挿通することにより、上部取付け板７に有頭取付け軸１３ｂを中心とする回転可能に取付けられている。
【００２６】
上記のように弾性受け板は、その前面の凹入面１３ａが円弧の溝状に形成されているので、凹入面１３ａの円弧軸方向が上下方向に沿う位相となるようにすれば、円弧が消火器Ａの胴部曲面に沿うことになり、円弧の溝に消火器Ａの胴部曲面が納まることになる。
【００２７】
また、上記弾性受け板１３を凹入面１３ａの両側部分１３ｃが上下方向に沿う位相となるようにすれば、凹入面１３ａは円弧の底に対して前方に突出する両側部分１３ｃが上下に位置し、この両側部分で消火器Ａの胴部を受けることになる。
【００２８】
従って、弾性受け板１３は、凹入面１３ａの円弧軸方向が上下方向に沿う位相と、両側部分１３ｃが上下に位置する位相とを選択すれば、消火器Ａの胴部を受ける高さは、凹入面１３ａの円弧の底と両側部分１３ｃの高さの差だけ異なり、上記巻着バンド５で消火器Ａの胴部を抱持する場合に、消火器胴部の外径が大径の場合は、凹入面１３ａの円弧軸方向が上下方向に沿う位相とし、消火器胴部の外径がそれよりも少し小さい場合は、両側部分１３ｃが上下に位置する位相とすることで、消火器胴部の外径の差を吸収できる。
【００２９】
この考案の壁掛け装置１は、上記のような構成であり、消火器Ａを壁面Ｂに設置するには、下部取付け板６を壁面Ｂの所定高さ位置に重ね、この下部取付け板６に設けた取り付け孔９から壁面Ｂにねじ込んだアンカーボルト２３で垂直の配置に固定する。
【００３０】
上記下部取付け板６に対して、その前面に上部取付け板７の下半部を重ね、上部取付け板７の前面に重ねた押さえ板１６の透孔１７から長孔１４を介して下部取付け板６のねじ込み孔１１にビス１０をねじ込み、下部取付け板６と上部取付け板７の重なり部分を仮固定状態とし、前記上部取付け板７を長孔１４の範囲で上下にスライドさせ、消火器Ａの下端縁を載置する係止屈曲部３と上端の差込片４の間の上下間距離を、設置せんとする消火器Ａの下端縁から係止金具ａまでの上下間隔に合うよう調整する。
【００３１】
上部取付け板７の位置が決まれば、上記ビス１０を締め付けて下部取付け板６に対して上部取付け板７を結合固定化し、上部取付け板７を取り付け孔９から壁面Ｂにねじ込んだアンカーボルト２３で固定する。
【００３２】
このようにして壁面Ｂに壁掛け装置１の取付け金具２を固定すると、消火器Ａを開離した巻着バンド５に挿通し、胴部の上部外面に固定されている係止金具ａを上端の差込片４に上から挿入し、同時に消火器Ａの下端縁を係止屈曲部３に載置係合させれば、図３のように、消火器Ａは壁掛け装置１によって下端縁と上部係止金具ａの二箇所で支持される。
【００３３】
この後、巻着バンド５を形成する環状バンド１８の両端をバックル金具２２で結合して消火器Ａの胴部を抱持すれば、壁掛け装置１に対して消火器Ａはガタツキのないよう固定され、壁面Ｂに消火器Ａを垂直の配置で設置することができる。
【００３４】
上記のように、ビス１０を緩めて下部取付け板６に対して上部取付け板７を長孔１４の範囲で上下にスライドさせ、壁掛け装置１の上下長さを可変とすることで、設置せんとする消火器Ａの下端縁から係止金具ａまでの上下距離の違う条件に応じて、単一の構造で対応することができる。
【００３５】
また、巻着バンド５は、一部を切り離した環状バンド１８の両端を多段調整式のバックル金具２２で結合した構造になっているので、消火器Ａの胴部外径の変化に広範に対応することができ、しかも、この巻着バンド５と弾性受け板１３を組合わせることにより、巻着バンド５で消火器Ａをガタツキのないよう強固に抱持でき、従って、人や物が接触しても消火器Ａが簡単に落下するような危険の発生を防ぐことができる。
【００３６】
なお、消火器Ａの使用時や取換え時の取外しは、巻着バンド５のバックル金具２２を解除した後、消火器Ａを持ち上げるようにすれば、係止金具ａが差込片４から抜け、同時に胴部下端縁が係止屈曲部３から外れるので、壁掛け装置１から速やかに取外すことができる。
【符号の説明】
【００３７】
１          壁掛け装置
２          取付け金具
３          係止屈曲部
４          差込片
５          巻着バンド
６          下部取付け板
７          上部取付け板
８          ガイド突起
９          取付け孔
１０        ビス
１１        ねじ込み孔
１２        屈曲部
１３        弾性受け板
１４        長孔
１５        屈曲片
１６        押さえ板
１７        透孔
１８        環状バンド
１９        レバー
２０        係止環
２１        係止片
２２        バックル金具
２３        アンカーボルト
Ａ          消火器
Ｂ          壁面
ａ          係止金具
【図１】
0003155495.tif 000003
【図２】
0003155495.tif 000004
【図３】
0003155495.tif 000005
【図４】
0003155495.tif 000006